(57)【特許請求の範囲】
【請求項１】
複数個の気密室を有するパンツにエアホースを介して圧縮空気供給源から気密室に圧縮空気を供給又は排気して膨張、収縮させる空圧式マッサージ器において、前記気密室のそれぞれに接続したエアホースを束ねてエアホース束とし、このエアホース束の長手方向をパンツ１ｂ内に収納して取付けると共に、前記パンツ１ｂには裾口の第一系統気密室２ｅ、２ｅとこの第一系統気密室に略並列的に脚に巻き付く第二系統気密室２ｆ、２ｆと第三系統気密室２ｇ、２ｇと第四系統気密室２ｈ、２ｈとを形成し、前記第四系統気密室２ｈ、２ｈは腹部を避けて腰に沿って巻き付く気密室２ｈ"、２ｈ"と鼠蹊部に沿って巻き付く気密室２ｈ′、２ｈ′とに分割させて構成することにより、腹部を避けてリンパ腺の集中する鼠蹊部や腰部を効率的にマッサージするようにしたことを特徴とする空圧式マッサージ器。
【発明の詳細な説明】
【０００１】
【発明の属する技術分野】
本発明は、複数個の気密室に圧縮空気を供給又は排気して気密室を膨張・収縮させることによってマッサージを行う空圧式マッサージ器に関する。
【０００２】
【従来の技術】
通常、空圧式マッサージ器は、帯状のマッサージ体を被マッサージ部位に巻き付け、マッサージ体に形成した複数の気密室に、エアホースを介して順次圧縮空気を供給・排気して各気密室の膨張・収縮を繰り返してマッサージするものである。従って、これらのマッサージ器は、脚又は腕にマッサージ体を巻き付けてマッサージを行うため、装着に時間がかかると共に、脚と腕とを同時にマッサージを行うことはできなかった。
【０００３】
また、被マッサージ部位の形状に合わせて形成したジャケットやパンツなどのマッサージ体を用いた空圧式マッサージ器もあったが、マッサージを四肢全て同時に行うことはできるが、所望の態様で、膨張・収縮を行なうものではなく、効率的なマッサージを望むことはできなかった。
【０００４】
そして、両マッサージ器は、リンパ腺が集中している脇部や鼠蹊部などのマッサージまで考慮されていなかった。また、気密室が膨張・収縮するとき、相隣れる気密室との境界線が直線であると、この境界線に常に同一の部位に局部的に大きな皺が寄るうえに、皺はほとんど同一個所に寄るため、その個所が損傷し易くなってしまうなどの問題があった。
【０００５】
さらに、気密室内の圧力を除去する際、圧力調整弁機構内において音が発生して、マッサージ中気になる場合があった。さらには、長期間使用しないと、気密室内面とエアホースを接続するために気密室に設けたエアポート部材とが互いに密着して空気の侵入を阻むため、気密室に圧縮空気を給気できないなどの問題もあった。
【０００６】
また、この種のマッサージ器は、特に、使用者の体型、体調又は好みなどに合わせて、マッサージ力の膨張・収縮の順序などを適宜に変化させて、使用者の身体のコンディションや好みに応じ任意に選択を可能としたマッサージ器の開発も望まれていた。
【０００７】
【発明が解決しようとする課題】
本発明は、上記従来の空圧式マッサージ器が有する問題点を解決すべく、鋭意研究の結果成されたものであり、腹部を避けてリンパ腺の集中する鼠蹊部や腰部を効率的にマッサージすることができる空圧式マッサージ製品を提供することを目的としている。
【０００８】
【課題を解決するための手段】
上記目的を達成するため、請求項１に係る発明は、複数個の気密室を有するパンツにエアホースを介して圧縮空気供給源から気密室に圧縮空気を供給又は排気して膨張、収縮させる空圧式マッサージ器において、前記気密室のそれぞれに接続したエアホースを束ねてエアホース束とし、このエアホース束の長手方向をパンツ１ｂ内に収納して取付けると共に、前記パンツ１ｂには、裾口の第一系統気密室２ｅ、２ｅとこの第一系統気密室に略並列的に脚に巻き付く第二系統気密室２ｆ、２ｆと第三系統気密室２ｇ、２ｇと第四系統気密室２ｈ、２ｈとを形成し、前記第四系統気密室２ｈ、２ｈは腹部を避けて腰に沿って巻き付く気密室２ｈ"、２ｈ"と鼠蹊部に沿って巻き付く気密室２ｈ′、２ｈ′とに分割させて構成することにより、腹部を避けてリンパ腺の集中する鼠蹊部や腰部を効率的にマッサージするようにした空圧式マッサージ器である。
【０００９】
【発明の実施の形態】
以下、図面を用いて本発明の好ましい実施の形態について説明する。図１などにおいて、１はマッサージ体であるジャケット１ａとパンツ１ｂから成るスーツ本体で、ジャケット１ａ及びパンツ１ｂには、空気の供給・排気により膨張・収縮する気密室２が複数形成され、さらに、装着しやすいように、ジャケット１ａにはマジックテープ、パンツ１ｂにはファスナーが設けられている。
【００１０】
本実施形態では、図２乃至図４に示すように、ジャケット１ａには、胸部を避けつつ肩から脇部に沿って巻き付く第四系統気密室２ｄ，２ｄ、袖口の第一系統気密室２ａ，２ａ、さらに、第四系統気密室２ｄ，２ｄから第一系統気密室に向かって略並列的に腕に巻き付く第三系統気密室２ｃ，２ｃと、第二系統気密室２ｂ，２ｂが形成され、また、パンツ１ｂには、腹部を避けて腰に沿って巻き付く気密室２ｈ″，２ｈ″と鼠蹊部に沿って巻き付く気密室２ｈ′，２ｈ′とに分割された第四系統気密室２ｈ，２ｈ、裾口の第一系統気密室２ｅ，２ｅ、さらに、第四系統気密室２ｈ，２ｈから第一系統気密室２ｅ，２ｅに向かって略並列的に脚に巻き付く第三系統気密室２ｇ，２ｇと、第二系統気密室２ｆ，２ｆとが形成されている。このように気密室２を形成することによって、脇部や鼠蹊部などマッサージしにくい部位のマッサージが可能になるうえに、パンツ１ｂの第四系統気密室２ｈを２つに分けているので、供給・排気が速くなり、マッサージの効率が良くなる。
【００１１】
気密室２は、軟質性のシート２１（例えば、ウレタン製シート、塩化ビニル製シートなど）を重ね合わせ、外周縁を高周波溶着などで溶着することによって形成されているが、特に、気密室２と隣接する気密室２との境界部分を曲線的に溶着して、仕切線を曲線形状にしているので、気密室２が膨張・収縮するとき、仕切線の部位に局部的に大きな皺が寄ることを防止できる。また、気密室２には、圧縮空気を供給・排気するためのエアポート部材３が設けられ、エアポート部材３には連通部材５が嵌入され、さらに、連通部材５にはエアホース６が接続されている。
【００１２】
エアポート部材３は、合成樹脂などの材料で形成される弾性体で、図５，図６に示すように、連通部材５を嵌入する筒状の嵌合部３ｂの一端をカバー４から突出させ、かつ、他端の外周面に一体に形成した円環状のフランジ部３ａをシート２１の内面に溶着させている。また、フランジ部３ａの気密室２側表面には、連通部材５を挿入するとき、先端でシート２１を傷つけない高さを有する筒状の突縁部３ｃが一体に形成され、さらに、この突縁部３ｃには放射方向に複数の切欠き部３ｄが形成され、長期間不使用の場合や、気密室２が収縮して真空状態になった場合でも、嵌合部３ｂの孔をシート２１の内面が塞がないように、突縁部３ｃがシート２１とシート２１の間に介在すると共に、突縁部３ｃに設けた切欠き部３ｄを通して、孔から気密室２内に圧縮空気を送ることができるので、圧縮空気の供給をスムーズに行うことができる。
【００１３】
連通部材５は、ジャケット１ａに形成した気密室２のエアポート部材３に嵌入させるものと、パンツ１ｂに形成した気密室２のエアポート部材３に嵌入させるものとでは形状が異なり、ジャケット１ａ側の連通部材５ａは、略Ｌ字管形状に形成され、また、パンツ１ｂ側の連通部材５ｂは、図５に示すように、略Ｔ字管形状に形成されている。
【００１４】
エアホース６は、図１乃至図３に示すように、ジャケット１ａの左右、パンツ１ｂの左右ごと束ねられ、ジャケット１ａに接続されたエアホース束の先端部にはプラグ７を固定し、また、パンツ１ｂに接続されたエアホース束のジャケット１ａ側端部には、ジャケット１ａのプラグ７と接続できるソケット８を固定し、かつ、マッサージ器本体１３側端部にはプラグ９を固定している。
【００１５】
また、マッサージ器本体１３と、ジャケット１ａ又はパンツ１ｂに接続したエアホース６とに接続されるエアホース束６′は、ジャケット１ａ又はパンツ１ｂに接続される側の端部を、ジャケット１ａ又はパンツ１ｂの左半身と右半身の何れか一方の気密室２に接続する４本のエアホース束６ａ′と、他方の気密室２に接続する４本のエアホース束６ｂ′とに分けて束ねられ、束ねたエアホース束６ａ′，６ｂ′の各先端部に、パンツ１ｂのプラグ９と接続でき、かつ、ジャケット１ａのプラグ７とは接続できないソケット１０を固定し、さらに、マッサージ器本体１３に接続される側の端部を一本に束ね、束ねたエアホース束６′の先端部に、マッサージ器本体１３に接続できる分配プラグ１１を固定している。この分配プラグ１１は、マッサージ器本体１３からエアホース束６′に向かう途中で流路が分岐されており、マッサージ器本体１３側に四本の流路、エアホース束６′接続側に八本の流路が形成され、マッサージ器本体１３の一本の流路に、左右の同一系統気密室２，２、例えば、第一系統気密室２ｅと２ｅ、が連通するように、エアホース束６′の各エアホースが夫々接続固定されている。
【００１６】
ところで、ジャケット１ａのプラグ７と、マッサージ器本体１３に接続したエアホース束６′のソケット１０とを接続する場合は、図７に示すコネクタ１２を用いる。このコネクタ１２は、一方側にジャケット１ａのプラグ７と接続可能なソケット部１２ａを形成し、他方側にエアホース束６′のソケット１０と接続可能なプラグ部１２ｂを形成し、さらに、ソケット部１２ａとプラグ部１２ｂの相対する流路を夫々連通させたうえで、相対する流路の軸を互いにずらして形成されている（図８参照）。従って、ジャケット１ａのプラグ７とエアホース束６′のソケット１０は、軸がずれるために接続不可能である。
【００１７】
さらに、このコネクタ１２には排気部１２ｃが形成されている。排気部１２ｃは、各流路に連通する排気ホールで、圧縮空気供給源２０から送られる圧縮空気の一部を外に排気している。
【００１８】
なお、圧縮空気供給源２０から所定の気密室２に圧縮空気を供給できるように、上述のプラグ７，９、分配プラグ１１及びコネクタ１２のプラグ部１２ｂには、予め決められた流路同士が接続できるように、流路を配列すると共に誤接続を防止する嵌合凸部７ａ，１２ｄ，・・が形成され（図７，図８参照）、さらに、ソケット８，１０及びコネクタ１２のソケット部１２ａには、嵌合凸部７ａ，１２ｄ，・・と嵌合する嵌合凹部が形成されている。
【００１９】
また、図１に示す１３は、各気密室に圧縮空気を供給するコンプレッサなどの圧縮空気供給源２０を内蔵したマッサージ器本体で、設定条件などを表示すると共に、電源スイッチ、気密室２の膨張による加圧力を調整する圧力調整摘み３９、圧縮空気の供給・排気サイクルを選択するモード切換ボタン、作動時間を設定するタイマー設定ボタンや音声スイッチなどの操作手段を有する操作パネル１３ａが設けられている。
【００２０】
さらに、マッサージ器本体１３の内部では、図９に示すように、圧縮空気供給源２０に接続した配管から分岐した一方の枝管に沿って四個の電磁弁２１，２２，２３，２４を接続すると共に、他方の枝管に圧力調整弁機構３０を接続し、さらに、圧縮空気供給源２０、電磁弁２１，２２，２３，２４、操作パネル１３ａやスイッチ機構１４などをインターフェイスを介してＣＰＵに電気的に接続している。
【００２１】
電磁弁２１，２２，２３，２４は、供給口、分配口及び排気口を有する３ポート電磁弁で、供給口は全て圧縮空気供給源２０に連通する枝管に接続され、また、排気口は全て外気と連通され、そして、各分配口は、エアホース束６′を接続するマッサージ器本体１３の出入口と連通されており、エアホース６，エアホース束６′などを介在させることによって、電磁弁２１を第一系統気密室２ａ，２ｅなどと、電磁弁２２を第二系統気密室２ｂ，２ｆなどと、電磁弁２３を第三系統気密室２ｃ，２ｇなどと、更に電磁弁２４を第四系統気密室２ｄ，２ｈなどと適宜連通させ、所定の電磁弁をＯＮ・ＯＦＦすることにより、各気密室に対して圧縮空気の供給・排気の切り換えを行なう。
【００２２】
圧力調整弁機構３０は、図１０，図１１に示すような消音室３３を有するニードルバルブであって、円筒状に形成したボディ３１内部を、仕切部３１ａによって調整室３２と消音室３３とを隔て、この仕切部３１ａに調整室３２と消音室３３とを連通する筒部３１ｂを形成し、調整室３２と圧縮空気供給源２０とを連通する接続筒部３１ｃを調整室３２の周壁に形成し、ボディ３１の調整室３２側開口端部に、仕切部３１ａに形成した筒部３１ｂの流路の開閉を行う圧力調整部３７を設け、さらに、ボディ３１の消音室３３側開口端部に、排気口３４ａを有する排気部３４を設けている。また、消音室３３には、仕切部３１ａ近傍を塞ぐ多孔質状の消音部材３５が配設され、さらに、消音部材３５の開口端部側表面を塞ぐようにして、多数の孔３６ａを有する減衰板部材３６が設けられている。
【００２３】
圧力調整部３７は、ボディ３１の調整室３２側開口端部に固着される筒状の連結部３８と、この連結部３８に螺合される圧力調整摘み３９と、この圧力調整摘み３９の螺子部３９ａに、略円錐状の先端部を突出した状態で螺合固着されるネジ状弁体４０と、圧力調整摘み３９の回動角を規制するピン４１と、連結部３８と螺子部３９ａとの隙間をシールするゴムリング４２とで構成され、ピン４１を挿入する円弧状の深溝３８ａを、連結部３８の端面に形成する一方、圧力調整摘み３９の頭部３９ｂに、連結部３８端面に設けた深溝３８ａの半径と同一半径となる位置に、ピン４１を固定する嵌入孔３９ｃを形成し、圧力調整摘み３９を連結部３８に適当深さまで螺入した後、頭部の３９ｂの嵌入孔３９ｃにピン４１を貫通して深溝３８ａにピン４１の先端を挿入し、圧力調整摘み３９を右一杯に回した後、調整室３２から消音室３３に流れる流量が初期所定流量となるように、圧力調整摘み３９の頭部３９ｂから弁体４０を徐々に螺入して、適正な圧力になったところで固着し、圧力調整摘み３９の頭部３９ｂにキャップ４３を位置合わせて固定する。このため、螺子部３９ａの外周面のネジ山や弁体４０を螺入する内周面のネジ山のネジ切り出し位置の調整が不要である。前記圧力調整は、完成した製品ごとにマッサージ器本体１３にスーツ本体１を接続し、圧縮空気供給源２０を作動させて行われる。
【００２４】
そして、圧力調整摘み３９を連結部３８に取り付けるとき、ボディ３１の筒部３１ｂと、圧力調整摘み３９の螺子部３９ａとの間にスプリング４４及びスプリングシート４５を介在させ、圧力調整摘み３９の螺子部３９ａのバックラッシュによる動作不安定を解消している。
【００２５】
図１２，図１３において、１４は使用者の手や手指に装着部材１５を介して装着するスイッチ機構で、このスイッチ機構１４の本体は、親指を挿入可能な筒状の操作部１４ａと、操作部１４ａの中心線上に垂下して一体に形成される安定部１４ｂとを有し、操作部１４ａの親指押圧面から突出するように押圧釦１６が設けられており、押圧釦１６の接続コード１７の先端に設けた接続プラグ１８をマッサージ器本体１３に接続することによって、スイッチ機構１４とマッサージ器本体１３とを電気的に接続している。
【００２６】
操作部１４ａは、中空の筒状に形成され、中央部分の両側に装着部材１５の端部を夫々固定し、押圧釦１６の押圧面が操作部１４ａの内周面から突出するように、中央底部内に押圧釦１６を固定している。また、安定部１４ｂは、操作部１４ａと一体と成る裾野部分１４ｃが円弧面状に形成され、操作部１４ａに固定した押圧釦１６の接続コード１７が内部を通っている。そして、装着部材１５は、伸縮自在の弾性部材で、ゴム製バンドなどが用いられている。
【００２７】
以下、上述した空圧式マッサージ器の作用を説明する。まず、表示パネル１３ａに設けた圧力調整機構３０の圧力調整摘み３９を回して、気密室２内の圧力設定を弱に設定した状態で、マッサージ器本体１３にエアホース束６′の分配プラグ１１を接続し、エアホース束６′のソケット１０，１０とパンツ１ｂのプラグ９，９とを接続し、そして、パンツ１ｂ及びジャケット１ａを身体に装着し、パンツ１ｂのソケット８，８とジャケット１ａのプラグ７，７とを接続する。なお、装着するマッサージ体を選択することで、使用者の希望によりマッサージする部位を、上半身、下半身または全身の中から選択することができる。
【００２８】
ここで、ジャケット１ａのみを装着する場合、ジャケット１ａのプラグ７，７とエアホース束６′のソケット１０，１０は直接接続することはできないので、コネクタ１２を介在させる必要がある。この理由は、ジャケット１ａのみを使用した場合、ジャケット１ａの気密室２全体の容積が、パンツ１ｂの気密室２の全容積に比べても小さく圧縮空気供給量を調整する必要があり、かつ、ジャケット１ａは心臓などに近い部位を圧迫することから、空気の供給過剰による気密室２内の過度の圧力上昇を防止する必要があるためで、このコネクタ１２を介すことによって、コネクタ１２に設けた排気部１２ｃから圧縮空気の一部を排気し、圧縮空気供給量を調整している。
【００２９】
また、パンツ１ｂのみを装着する場合、パンツ１ｂのプラグ９，９にエアホース束６′ソケット１０，１０を接続するうえに、パンツ１ｂのソケット８，８にめくら栓（図示せず）を接続して、ジャケット１ａに接続するためのソケット８，８から圧縮空気が出ないようにする。
【００３０】
次に、圧力調整摘み３９を回して好みの強さに圧力設定し、マッサージ器本体１３の電源を投入すると、マッサージモード設定がモード１、タイマー設定が１５分及び音声設定がＯＮに設定され、表示パネル１３ａの該当ＬＥＤが点灯すると共に、モード及びタイマーの設定状態を音声出力し、入力待機状態となる。
【００３１】
ところで、マッサージモードは、気密室２の膨張・収縮パターンを切り換えるもので、パターンをあらかじめ複数記憶させておく。また、タイマー設定は、１５分と３０分の２つが記憶されている。
【００３２】
例えば、本実施例のマッサージモードは、３モード分記憶されており、モード１は、図１４に示すように、脚先、手先から順に部分的に加圧するモードで、まず最初に、全ての気密室２に所定量の圧縮空気を供給して予圧空気を充填し、一定時間経過後全ての気密室２の圧縮空気を排気する予圧サイクルを一度行った後、ジャケット１ａ及びパンツ１ｂの第一系統気密室２ａ，２ｅなどから第二系統気密室２ｂ，２ｆなど、第三系統気密室２ｃ，２ｇなど、第四系統気密室２ｄ，２ｈなどへと順番に、圧縮空気の供給、排気を行う通常サイクルを繰り返すパターンである。
【００３３】
モード２は、図１５に示すように、脚先、手先から順番に加圧し、同時に除圧するモードで、モード１同様、まず最初に予圧サイクルを一度行った後、第一系統気密室２ａ，２ｅなどから順番に圧縮空気を供給し、最後の第四系統気密室２ｄ，２ｈなどに圧縮空気の供給を開始してから所定時間経過後、同時に全ての気密室２（第一系統気密室２ａ，２ｅなど、第二系統気密室２ｂ，２ｆなど、第三系統気密室２ｃ，２ｇなど、第四系統気密室２ｄ，２ｈなど）から空気を排気する通常サイクルを繰り返すパターンである。
【００３４】
モード３は、図１６に示すように、同時に加圧、除圧を行うモードで、同時に全ての気密室２（第一系統気密室２ａ，２ｅなど、第二系統気密室２ｂ，２ｆなど、第三系統気密室２ｃ，２ｇなど、第四系統気密室２ｄ，２ｈなど）に対して、圧縮空気の供給、排気を行う通常サイクルを繰り返すパターンである。
【００３５】
また、圧力調整弁機構３０は、圧力調整摘み３９を回動することによって、弁体４０を調整室３２と消音室３３間の筒部３１ｂ内に進退させて流路を拡大縮小させ、調整室３２から消音室３３を介して排気される空気量を調整し、圧縮空気供給源２０から空気分配バルブ２０に流れる圧縮空気の量を調整し、圧縮空気供給時の気密室２内の圧力を調整している。そして、排気に伴って発生する騒音を消音室３３に設けた消音部材３５によって吸音し、更に消音部材３５を通り抜けた騒音を、減衰板部材３６の孔３６ａを通過させることにより膨張・収縮させて減衰させ、騒音を抑制している。
【００３６】
そして、入力待機状態中、各スイッチを押圧することにより、モードの切り換え、タイマー設定時間の切り換え、音声出力の有無などの設定を変えることができる。なお、モード及び音声の設定は、マッサージ中でも変更が可能である。
【００３７】
さらに、マッサージ器本体１３に接続したスイッチ機構１４を手に装着する。この場合、スイッチ機構１４の安定部１４ｂを掌に当接し、操作部１４ａから突出する装着部材１５を手に巻きつけると、安定部１４ｂの裾野部分１４ｃの円弧面が人差指側面に沿って当接され、手を開いた状態でも安定した操作が可能となる。また、操作部１４ａの中心線上に安定部１４ｂを垂下させているので、左右どちらの手に装着しても、安定した操作が可能となる。
【００３８】
従って、手の先までマッサージをする場合でも、手に力を入れる必要が無く、親指を動かすだけで、作動開始又は停止を操作することができる。そして、手の先までマッサージしている間でも、操作する親指は操作部１４ａで囲まれているため自由に動かすことができ、異常が発生した場合でも素早くかつ容易に停止が可能である。さらに、このスイッチ機構１４は、マッサージ器本体１３に接続した接続プラグ１８を引き抜くことによっても、作動停止を行うことができ安全性が高い。
【００３９】
また、このスイッチ機構１４に用いられる押圧釦１６は、入力待機状態の時に押すと運転が開始され、作動中に押すと運転が停止される。そして、入力待機状態の時、電磁弁２１，２２，２３，２４は全てＯＦＦされ、圧縮空気供給源２０に連通する各供給口が全て閉塞され、各気密室２にエアホース６，エアホース束６′などを介して連通される分配口が排気口と連通されて、全気密室２は排気状態にある。
【００４０】
次に、スイッチ機構１４の押圧釦１６を親指で押圧してマッサージを開始すると、マッサージ開始を告げる音声が出力され、圧縮空気供給源２０が作動すると共に、設定したモードに従って、電磁弁２１，２２，２３，２４が夫々ＯＮ・ＯＦＦされて、所定の気密室２の膨張・収縮が開始される。ところで、電磁弁２１，２２，２３，２４がＯＮの場合、各電磁弁２１，２２，２３，２４では、供給口と分配口とが連通されると共に排気口が閉塞されて、各電磁弁に連通する気密室２に対して圧縮空気が供給され、所定の気密室２が膨張する。また、電磁弁２１，２２，２３，２４がＯＦＦの場合、各電磁弁２１，２２，２３，２４では、分配口と排気口とが連通されると共に供給口が閉塞されて、圧縮空気供給源２０から送り出された圧縮空気の流入を阻止し、各電磁弁に連通する気密室２の圧縮空気が排気口から排気されて、所定の気密室２が収縮する。
【００４１】
そして、気密室２の膨張・収縮を繰り返し、マッサージ開始から設定時間経過後、マッサージ終了を告げる音声が出力され、圧縮空気供給源２０が停止すると共に、全ての電磁弁２１，２２，２３，２４がＯＦＦされ、各気密室２内に残った圧縮空気が排気されて、マッサージが終了する。なお、音声設定をＯＮにしている場合、マッサージ終了前に残り時間を告げる音声などが出力される。
【００４２】
以下、図１４に示すタイムチャートを用いて、モード１の場合のマッサージ行程を詳しく説明する。非作動時、電磁弁２１，２２，２３，２４は全てＯＦＦされ、圧縮空気供給源２０に連通する各供給口が全て閉塞され、各気密室２にエアホース６，エアホース束６′などを介して連通される分配口が排気口と連通されて、全気密室２は排気状態にある。
【００４３】
押圧釦１６を押圧してマッサージを開始すると、最初に、予圧サイクルが行われる。予圧サイクルでは、圧縮空気供給源２０を作動すると共に、全ての電磁弁２１，２２，２３，２４をＯＮし、夫々の供給口と分配口とを連通させ、全ての排気口を閉塞して、圧縮空気供給源２０から送り出された圧縮空気を、電磁弁２１，２２，２３，２４、エアホース６，エアホース束６′などを介して、全気密室２（第一系統気密室２ａ，２ｅ、第二系統気密室２ｂ，２ｆ、第三系統気密室２ｃ，２ｇ、第四系統気密室２ｄ，２ｈ）に供給する。
【００４４】
そして、予圧空気の供給開始から所定時間経過後、全ての電磁弁２１，２２，２３，２４をＯＦＦして、圧縮空気供給源２０に連通する各供給口を全て閉塞し、分配口と排気口とを連通して、全気密室２（第一系統気密室２ａ，２ｅ、第二系統気密室２ｂ，２ｆ、第三系統気密室２ｃ，２ｇ、第四系統気密室２ｄ，２ｈ）の圧縮空気の排気を開始し、排気開始から所定時間経過後、予圧サイクルは終了する。
【００４５】
上記予圧サイクルが終了すると、通常サイクルが開始される。通常サイクルでは、開始と同時に、まず、第一系統気密室２ａ,２ｅに連通する電磁弁２１をＯＮし、電磁弁２１の排気口を閉塞して第一系統気密室２ａ,２ｅからの排気を阻止し、電磁弁２１の供給口と分配口とを連通して、圧縮空気供給源２０から送り出された圧縮空気を第一系統気密室２ａ,２ｅに供給する。
【００４６】
そして、通常サイクル開始から所定時間経過後、第一系統気密室２ａ,２ｅへの圧縮空気の供給と同様に、電磁弁２２をＯＮして第二系統気密室２ｂ,２ｆへ圧縮空気の供給を開始させる。
【００４７】
さらに、通常サイクル開始から所定時間経過後、第一系統気密室２ａ,２ｅに連通する電磁弁２１をＯＦＦし、圧縮空気供給源２０に連通する電磁弁２１の供給口を閉塞して電磁弁２１内への圧縮空気の流入を阻止し、分配口と排気口とを連通させ、第一系統気密室２ａ，２ｅの圧縮空気を排気口を介して排気する。
【００４８】
そして、第二系統気密室２ｂ,２ｆも、第一系統気密室２ａ,２ｅ同様、通常サイクル開始から所定時間経過後、電磁弁２２をＯＦＦして、圧縮空気の供給を停止すると共に、圧縮空気を排気させる。
【００４９】
さらに、残りの第三系統気密室２ｃ,２ｇ、第四系統気密室２ｄ,２ｈにおいても、夫々通常サイクル開始から所定時間経過後、電磁弁２３，２４を夫々ＯＮ・ＯＦＦすることにより圧縮空気の供給・排気を行ない、第四系統気密室２ｄ,２ｈの排気を開始してから所定時間経過後に通常サイクルは終了する。
【００５０】
そして、マッサージ開始からタイマー設定時間が経過するまで、上述した通常サイクルを繰り返し行ない、設定時間マッサージを行なったサイクル終了後、マッサージ終了を告げる音声が出力され、圧縮空気供給源２０を停止し、マッサージを終了する。このとき、電磁弁は全てＯＦＦになっており、圧縮空気供給源２０に連通する全ての供給口を閉塞し、全ての分配口と排気口とを連通させて、全気密室２（第一系統気密室２ａ，２ｅ、第二系統気密室２ｂ，２ｆ、第三系統気密室２ｃ，２ｇ、第四系統気密室２ｄ，２ｈ）から圧縮空気を排気する。
【００５１】
以下、図１５に示すタイムチャートを用いて、モード２の場合のマッサージ行程を詳しく説明する。まず、非作動時は、モード１同様、全気密室２は排気状態にある。
【００５２】
そして、押圧釦１６を押圧してマッサージを開始すると、最初に、モード１同様の予圧サイクルが１回行われる。
【００５３】
上記予圧サイクルが終了すると、通常サイクルが開始される。通常サイクルでは、まず、第一系統気密室２ａ,２ｅに連通する電磁弁２１をＯＮし、電磁弁２１の排気口を閉塞して第一系統気密室２ａ,２ｅからの排気を阻止し、電磁弁２１の供給口と分配口とを連通して、圧縮空気供給源２０から送り出された圧縮空気を第一系統気密室２ａ,２ｅに供給する。
【００５４】
そして、通常サイクル開始から所定時間経過後、上記第一系統気密室２ａ,２ｅへの圧縮空気の供給と同様に、電磁弁２２をＯＮして第二系統気密室２ｂ,２ｆへ圧縮空気の供給を開始し、更に所定時間経過後、電磁弁２３をＯＮして第三系統気密室２ｃ,２ｇへ圧縮空気の供給を開始し、更にまた所定時間経過後、電磁弁２４をＯＮして第四系統気密室２ｄ,２ｈへ圧縮空気の供給を開始する。
【００５５】
第四系統気密室２ｄ,２ｈへの圧縮空気の供給開始から所定時間経過後、全ての電磁弁２１，２２，２３，２４をＯＦＦして、圧縮空気供給源２０に連通する各供給口を全て閉塞する一方、分配口と排気口とを連通して、全気密室２（第一系統気密室２ａ，２ｅ、第二系統気密室２ｂ，２ｆ、第三系統気密室２ｃ，２ｇ、第四系統気密室２ｄ，２ｈ）の圧縮空気の排気を開始し、排気開始から所定時間経過後、通常サイクルは終了する。
【００５６】
そして、マッサージ開始からタイマー設定時間が経過するまで、上述した通常サイクルを繰り返し行ない、設定時間マッサージを行なったサイクル終了後、マッサージ終了を告げる音声が出力され、圧縮空気供給源２０を停止し、マッサージを終了する。このとき、電磁弁は全てＯＦＦになっており、圧縮空気供給源２０に連通する全ての供給口を閉塞し、全ての分配口と排気口とを連通させて、全気密室２（第一系統気密室２ａ，２ｅ、第二系統気密室２ｂ，２ｆ、第三系統気密室２ｃ，２ｇ、第四系統気密室２ｄ，２ｈ）から圧縮空気を排気する。
【００５７】
以下、図１６に示すタイムチャートを用いて、モード３の場合のマッサージ行程を詳しく説明する。まず、非作動時は、モード１，２同様、全気密室２は（第一系統気密室２ａ，２ｅ、第二系統気密室２ｂ，２ｆ、第三系統気密室２ｃ，２ｇ、第四系統気密室２ｄ，２ｈ）排気状態にある。
【００５８】
そして、押圧釦１６を押圧してマッサージを開始すると、モード１，２の場合とは異なり、通常サイクルが開始される。通常サイクルでは、モード１，２の予圧サイクル同様、圧縮空気供給源２０を作動すると共に、全ての電磁弁２１，２２，２３，２４をＯＮし、夫々の供給口と分配口とを連通させ、全ての排気口を閉塞して、圧縮空気供給源２０から送り出された圧縮空気を、電磁弁２１，２２，２３，２４、エアホース６，エアホース束６′などを介して、全気密室２（第一系統気密室２ａ，２ｅ、第二系統気密室２ｂ，２ｆ、第三系統気密室２ｃ，２ｇ、第四系統気密室２ｄ，２ｈ）に供給する。
【００５９】
そして、通常サイクル開始から所定時間経過後、全ての電磁弁２１，２２，２３，２４をＯＦＦして、圧縮空気供給源２０に連通する各供給口を全て閉塞し、分配口と排気口とを連通して、全気密室２（第一系統気密室２ａ，２ｅ、第二系統気密室２ｂ，２ｆ、第三系統気密室２ｃ，２ｇ、第四系統気密室２ｄ，２ｈ）の圧縮空気の排気を開始し、排気開始から所定時間経過後、通常サイクルは終了する。
【００６０】
そして、マッサージ開始からタイマー設定時間が経過するまで、上述した通常サイクルを繰り返し行ない、設定時間マッサージを行なったサイクル終了後、マッサージ終了を告げる音声が出力され、圧縮空気供給源２０を停止し、マッサージを終了する。このとき、電磁弁は全てＯＦＦになっており、圧縮空気供給源２０に連通する全ての供給口を閉塞し、全ての分配口と排気口とを連通させて、全気密室２（第一系統気密室２ａ，２ｅ、第二系統気密室２ｂ，２ｆ、第三系統気密室２ｃ，２ｇ、第四系統気密室２ｄ，２ｈ）から圧縮空気を排気する。
【００６１】
【発明の効果】
以上、詳細に説明した本発明は鼠蹊部や腰部のマッサージしにくい部位のマッサージが可能になるうえに、腹部を避けてリンパ腺の集中する鼠蹊部や腰部を効率的にマッサージすることができ、しかも、パンツ１ｂの第四系統気密室２ｈ、２ｈを分けているので、供給・排気が早くなり、もって効率的なマッサージ機能を有効に発揮することができる等の効果がある。
【図面の簡単な説明】
【図１】本発明の空圧式マッサージ器を示す概略斜視図である。
【図２】マッサージ体であるジャケットを示す平面図である。
【図３】マッサージ体であるパンツを示す平面図である。
【図４】上記ジャケットとパンツに設けた気密室の接続関係を示す概略説明図である。
【図５】上記パンツの気密室の概略断面図である。
【図６】各気密室に設けるエアポート部材を示す平面図である。
【図７】コネクタを示す半載断面図である。
【図８】コネクタ、プラグ及びソケットを示す正面図である。
【図９】マッサージ器本体内の空気回路説明図である。
【図１０】圧力調整機構の縦断面図である。
【図１１】上記圧力調整機構の横断面図である。
【図１２】スイッチ機構を示す部分断面正面図である。
【図１３】上記スイッチ機構の使用状態を示す概略斜視図である。
【図１４】モード１に設定した場合の各気密室の膨張・収縮の切り換えパターンを示すタイムチャートである。
【図１５】モード２に設定した場合の各気密室の膨張・収縮の切り換えパターンを示すタイムチャートである。
【図１６】モード３に設定した場合の各気密室の膨張・収縮の切り換えパターンを示すタイムチャートである。
【符号の説明】
１ スーツ本体
１ａ ジャケット
１ｂ パンツ
２ 気密室
３ エアポート部材
３ｃ 突縁部
３ｄ 切欠き部
６ エアホース
７ プラグ
８ ソケット
１０ ソケット
１２ コネクタ
１４ スイッチ機構
１５ 装着部材
１６ 押圧釦
２０ 圧縮空気供給源
３０ 圧力調整弁機構
３３ 消音室
３９ 圧力調整摘み
【図１】
0004059956.tif 000002
【図２】
0004059956.tif 000003
【図３】
0004059956.tif 000004
【図４】
0004059956.tif 000005
【図５】
0004059956.tif 000006
【図６】
0004059956.tif 000007
【図７】
0004059956.tif 000008
【図８】
0004059956.tif 000009
【図９】
0004059956.tif 000010
【図１０】
0004059956.tif 000011
【図１１】
0004059956.tif 000012
【図１２】
0004059956.tif 000013
【図１３】
0004059956.tif 000014
【図１４】
0004059956.tif 000015
【図１５】
0004059956.tif 000016
【図１６】
0004059956.tif 000017